(57)【特許請求の範囲】
【請求項１】
前方に開放する開口部(12a)を有する箱体(12)と、前記開口部(12a)の内周下部に配設された下レール(16)にスライド自在に支持されて開口部(12a)を開閉する前スライド扉(18)および後スライド扉(20)とを備え、前記前スライド扉(18)は前透視体(22)の外周囲に前枠体(24)を配設して構成され、前記後スライド扉(20)は後透視体(28)の外周囲に後枠体(30)を配設して構成されている貯蔵庫において、
前記前スライド扉(18)の側面に配設された第１取付部材(36)と、
前記第１取付部材(36)に配設され、その後部が前スライド扉(18)の後方に突出する施錠位置と突出しない解錠位置とに位置決め可能な係止ピン(38b)を前後動可能に備えた錠(38)と、
前記両スライド扉(18,20)を閉成位置に位置決めした状態で、前記後スライド扉(20)の後枠体(30)における前記錠(38)の係止ピン(38b)と対向する位置に形成され、施錠位置に位置決めされる係止ピン(38b)が挿通可能な係止孔(30b)と、
前記後スライド扉(20)の後枠体(30)における下枠材(30a)の内部に配設され、前記下レール(16)に載置されるローラ(32)を回転可能に保持するローラホルダ(33)と、
前記ローラホルダ(33)における後スライド扉(20)の前記係止孔(30b)と対応する位置に形成されて、前記係止ピン(38b)が挿通可能な通孔(33a)とから構成した
ことを特徴とするスライド扉の施錠装置。
【請求項２】
前記第１取付部材(36)に第２取付部材(40)が上下動可能に配設され、該第２取付部材(40)の下端は、その下動位置では前記下レール(16)に形成された前側の立上がり部(16b)の後側において上端より下方に延出して、前記前スライド扉(18)の前側への取外しを規制するよう構成した請求項１記載のスライド扉の施錠装置。
【発明の詳細な説明】
【０００１】
【発明の属する技術分野】
この発明は、冷蔵ショーケースや冷蔵庫あるいは温蔵庫等の貯蔵庫に配設されるスライド扉の施錠装置に関するものである。
【０００２】
【従来の技術】
食料品店やコンビニエンスストア等で、食品や飲料品等を冷蔵状態で収納して陳列する冷蔵ショーケースが好適に使用されている。この冷蔵ショーケースは、内箱と外箱との間にウレタン等の発泡断熱材を充填した断熱箱体の内部に、食品や飲料品等の収納物の収納室が画成される。また断熱箱体の前部側には、前方に開放する開口部が矩形状に開設され、この開口部の内周上部および下部に配設された上レールと下レールとによって、該開口部を開閉する前スライド扉および後スライド扉がスライド可能に支持されている。
【０００３】
前述した冷蔵ショーケースには、両スライド扉を閉成状態で施錠する施錠装置が設けられている。この施錠装置としては、例えば実公平５−２４７７３号公報に開示されるように、前スライド扉の枠体に錠本体を取付けると共に、該錠本体の枠体後側に臨む軸に施錠用の金具を配設したものが知られている。この施錠装置では、錠本体に差込んだ鍵により軸を押し回し、後スライド扉の枠体に当接可能な位置まで前記金具を突出して位置決めすること、両スライド扉が施錠されるものである。
【０００４】
【発明が解決しようとする課題】
前述した施錠装置では、前スライド扉の後側(庫内側)に金具を配設するため、前スライド扉と後スライド扉との前後の隙間は、該金具が解錠位置に臨んでいる状態で、扉のスライドに支障を来たさない程度に広く設定しなければならない。すなわち、両スライド扉の前後の隙間が大きくなり、該隙間からの冷気の逃出によって冷却性能が低下したり、収納室内に外気が入り込んで、冷却器に多量の霜付きを生じたり、あるいは扉への露付きが発生する等の問題があった。
【０００５】
【発明の目的】
本発明は、前述した従来の技術に内在している前記欠点に鑑み、これを好適に解決するべく提案されたものであって、前後のスライド扉の隙間を小さくし、冷却性能等を向上し得るスライド扉の施錠装置を提供することを目的とする。
【０００６】
【課題を解決するための手段】
前記課題を克服し、所期の目的を好適に達成するため、本発明に係るスライド扉の施錠装置は、
前方に開放する開口部を有する箱体と、前記開口部の内周下部に配設された下レールにスライド自在に支持されて開口部を開閉する前スライド扉および後スライド扉とを備え、前記前スライド扉は前透視体の外周囲に前枠体を配設して構成され、前記後スライド扉は後透視体の外周囲に後枠体を配設して構成されている貯蔵庫において、
前記前スライド扉の側面に配設された第１取付部材と、
前記第１取付部材に配設され、その後部が前スライド扉の後方に突出する施錠位置と突出しない解錠位置とに位置決め可能な係止ピンを前後動可能に備えた錠と、
前記両スライド扉を閉成位置に位置決めした状態で、前記後スライド扉の後枠体における前記錠の係止ピンと対向する位置に形成され、施錠位置に位置決めされる係止ピンが挿通可能な係止孔と、
前記後スライド扉の後枠体における下枠材の内部に配設され、前記下レールに載置されるローラを回転可能に保持するローラホルダと、
前記ローラホルダにおける後スライド扉の前記係止孔と対応する位置に形成されて、前記係止ピンが挿通可能な通孔とから構成したことを特徴とする。
【０００７】
【発明の実施の形態】
次に、本発明に係るスライド扉の施錠装置につき、好適な実施例を挙げて、添付図面を参照しながら以下説明する。図１は、実施例に係る施錠装置を分解状態で示すものであり、図２は、実施例の施錠装置が配設される冷蔵ショーケースを示す。なお、実施例において前後および左右とは、冷蔵ショーケースを前面側(正面側)から視た状態で指称する。
【０００８】
図に示す冷蔵ショーケース１０は、内箱と外箱との間にウレタン等の発泡断熱材を充填してなる断熱箱体(箱体)１２と、該箱体１２の幅方向の一側部に配設された冷却ユニット１４とから基本的に構成される。この冷却ユニット１４の内部には、圧縮機や凝縮器等からなる冷凍装置(図示せず)が配設され、断熱箱体１２に内部画成した収納室に配設した図示しない冷却器に、冷凍装置から冷媒を循環供給することで、収納室内が冷却されるようになっている。
【０００９】
前記断熱箱体１２の前部には、前方に開放する矩形状の開口部１２ａが形成されている。この開口部１２ａの内周上下に、合成樹脂製の上レール(図示せず)と下レール１６が配設される。そして、上下のレール１６間に、前スライド扉１８および後スライド扉２０が夫々幅方向にスライド可能に支持されて、開口部１２ａを開閉し得るよう構成してある。なお実施例では、前スライド扉１８が開口部１２ａの右側半分を閉成し、後スライド扉２０が開口部１２ａの左側半分を閉成するよう設定される。
【００１０】
前記下レール１６は、図６に示す如く、上方に開放するコ字状の枠体１６ａと、該枠体１６ａにおける前後の立上がり部１６ｂ,１６ｂ間に臨む底板１６ｃに前後に離間して立設されて、長手方向(幅方向)の全長に亘って延在する２本のレール条１６ｄ,１６ｄとから構成される。前記前スライド扉１８は、図２に示す如く、ガラスや合成樹脂等から形成される透明な矩形状の前透視体２２と、該前透視体２２の外周囲に配設された前枠体２４とから構成される。そして、前枠体２４の右側端を前記開口部１２ａの内周右側端に当接することで、該開口部１２ａの右半分を前スライド扉１８で閉成するようになっている。また前枠体２４における下枠材２４ａの内部には、幅方向に離間して複数のローラ２６が回転可能に配設されており、各ローラ２６が前側のレール条１６ｄに回転可能に載置されることで、前スライド扉１８が上下のレール１６に沿ってスライドする。
【００１１】
前記後スライド扉２０は、基本的には前スライド扉１８と同様の構造を有するものであって、ガラスや合成樹脂等から形成される透明な矩形状の後透視体２８と、該後透視体２８の外周囲に配設された後枠体３０とから構成される。そして、後枠体３０の左側端を開口部１２ａの内周左側端に当接することで、該開口部１２ａの左半分を後スライド扉２０で閉成するようになっている。また後枠体３０における下枠材３０ａの内部には、幅方向に離間して複数のローラ３２が回転可能に配設されており、各ローラ３２が後側のレール条１６ｄに回転可能に載置されることで、後スライド扉２０が上下のレール１６に沿ってスライドする。なお、後スライド扉２０の下枠材３０ａには、両スライド扉１８,２０を閉成位置に位置決めした状態で、後述する錠３８の係止ピン３８ｂと対向する位置に係止孔３０ｂが形成されている。また図６において符号３３は、下枠材３０ａに着脱可能に配設されてローラ３２を定位置に保持する金属製のローラホルダを示し、該ホルダ３３の係止孔３０ｂと対応する位置に係止ピン３８ｂの挿通を許容する通孔３３ａが形成してある。
【００１２】
前記前スライド扉１８の左側面(閉成位置において開口部１２ａの内周に当接しない側面)に、前後のスライド扉１８,２０を解錠可能に施錠する施錠装置３４が配設されている。この施錠装置３４は、第１取付部材３６と、錠３８および第２取付部材４０とから基本的に構成される。第１取付部材３６は、図１および図３に示す如く、後側に開放する矩形箱状に形成された本体４２の右側板４４が、前スライド扉１８の前枠体２４における左枠材２４ｂに当接した状態で配設されるようになっている。すなわち、右側板４４には上下に離間して２つの通孔４４ａ,４４ａが形成され、各通孔４４ａに本体内から挿通したネジ４６を、左枠材２４ｂに形成した対応するネジ孔２４ｃに螺挿することで、第１取付部材３６は前スライド扉１８に配設固定される。なお、本体４２の左側板４８には、右側板４４の各通孔４４ａと対応する位置に、前記ネジ４６の締付けおよび緩み外しを行なうドライバ等の工具(図示せず)の挿通を許容する工具用孔４８ａが形成してある。
【００１３】
また前記右側板４４の後端には、前スライド扉側に向けて直角に折曲された位置決め板５０が形成され、該位置決め板５０を前スライド扉１８の左枠材２４ｂにおける後面に当接することで、当該第１取付部材３６の前スライド扉１８に対する前後方向の位置決めがなされる。なお、第１取付部材３６における本体４２の前後の厚み寸法は、前スライド扉１８の前後の厚み寸法より薄く設定され、本体４２の前後端が前スライド扉１８の前後に突出しないよう設定される。
【００１４】
前記第１取付部材３６における本体４２の前面板５２に、錠３８の前側からの挿通を許容する錠用孔５２ａが形成されると共に、該錠用孔５２ａの下方には、第２取付部材４０の固定用のネジ孔５２ｂが形成されている。また本体４２の上板５４には、図３に示す如く、その後端から所定長さの後面板５６が垂設され、前記錠用孔５２ａに前方から挿通された錠３８の後端が、該後面板５６に当接されることで位置決めされる。更に、後面板５６にはネジ用の通孔５６ａが複数形成され、各通孔５６ａに挿通したネジ５８を錠３８の後部に螺挿することで、該錠３８が第１取付部材３６に固定される。なお、後面板５６の下端縁部には、円弧状の切欠部５６ｂが形成され、錠３８における係止ピン３８ｂの後方への突出を許容するよう構成される。
【００１５】
前記錠３８は、筒状本体３８ａに係止ピン３８ｂを前後動可能に配設したものであって、該係止ピン３８ｂは、その後部が第１取付部材３６(前スライド扉１８)の後方に突出する施錠位置(図７参照)と、後方に突出しない解錠位置(図６参照)とに位置決めされるよう構成してある。そして、係止ピン３８ｂを施錠位置に位置決めすることで、該係止ピン３８ｂの後部が前記後スライド扉２０の後枠体３０に形成されている係止孔３０ｂおよび通孔３３ａに挿入されて、両スライド扉１８,２０が施錠されるようになっている。なお、係止ピン３８ｂは、筒状本体３８ａの内部に配設された適宜の機構により、解錠位置に臨む状態で前側から押圧することで施錠位置に位置決めされ、該施錠位置に臨む状態で再度前側から押圧することで解錠位置に戻るよう構成される。
【００１６】
前記第２取付部材４０は、図１に示す如く、矩形状に形成された上板６０の前後端に前板６２および後板６４を垂設して構成され、該前板６２には、前記錠３８の挿通を許容する上部長孔６２ａが上下方向に所定長さで延在するよう形成されると共に、該上部長孔６２ａの下側に、第２取付部材４０を第１取付部材３６に取付けるためのネジ６６のネジ部の挿通を許容する下部長孔６２ｂが上下方向に所定長さで延在するよう形成されている。すなわち第２取付部材４０は、第１取付部材３６に対して上下の長孔６２ａ,６２ｂの長さだけ上下動可能に構成される。なお、第２取付部材４０の前板６２は、第２取付部材４０を第１取付部材３６に対して最も下動させた下動位置(図５,図６参照)において、その下端が前記下レール１６における前側の立上がり部１６ｂの後側において上端より下方に延出して、前スライド扉１８の前側への取外しを規制するべく機能する。また下動位置において第２取付部材４０の後板６４は、第１取付部材３６の後面板５６の後側に臨んで前板６２とにより本体４２を前後で挟持し、該第２取付部材４０の確実な位置決め固定をなし得るよう構成される。これに対し、第２取付部材４０を第１取付部材３６に対して最も上動させた上動位置(図４参照)においては、前板６２の下端は第１取付部材３６の下端と略同一位置に臨んで、前スライド扉１８の下レール１６への取付けに支障を来たさないようになっている。
【００１７】
【実施例の作用】
次に、実施例に係るスライド扉の施錠装置の作用につき、先ず前スライド扉１８に施錠装置３４を配設する手順につき説明する。前記断熱箱体１２から取外されている前スライド扉１８の左枠材２４ｂに対し、その左側面に前記第１取付部材３６の右側板４４を当接すると共に、その後面に前記位置決め板５０を当接することで両者１８,３６の位置決めを行なう。この状態で、右側板４４の各通孔４４ａに本体内側から挿通したネジ４６を、左枠材２４ｂの対応するネジ孔２４ｃに螺挿することで、第１取付部材３６は前スライド扉１８に位置決め固定される。なお、ネジ４６を螺挿する工具は、本体４２の左側板４８に形成した工具用孔４８ａを介して本体内に挿通される。
【００１８】
次に、前記第１取付部材３６の前面板５２に形成した錠用孔５２ａに対して前記錠３８を前側から挿通し、その後端を前記後面板５６に当接させ、複数のネジ５８を介して固定する。なお、後面板５６の下端縁部には切欠部５６ｂが形成されており、錠３８における係止ピン３８ｂの後部が後方に突出する施錠位置への移動は許容される。
【００１９】
また前記第１取付部材３６に対して、錠３８を前記上部長孔６２ａに挿通した状態で第２取付部材４０を前側から取付け、下部長孔６２ｂに前側から挿通したネジ６６を前面板５２のネジ孔５２ｂに螺挿することで、当該第２取付部材４０を第１取付部材３６に仮止めする。なお、このとき第２取付部材４０は、第１取付部材３６に対して最も上動した上動位置(上部長孔６２ａの下端が錠３８の下端に当接する位置)に位置決めされる(図４参照)。
【００２０】
前記施錠装置３４を配設した前スライド扉１８および後スライド扉２０を、各ローラ２６,３２が前記下レール１６の対応するレール条１６ｄに載置される状態で、前記開口部１２ａに取付ける(図６参照)。そして、前記第２取付部材４０を第１取付部材３６に仮止めしているネジ６６を緩め、該第２取付部材４０を下動位置まで下動した後に、該ネジ６６を締付けて確実に固定する。これにより、第２取付部材４０における前板６２の下端は、図５および図６に示す如く、下レール１６における前側の立上がり部１６ｂより後側においてその上端より下方に延出する。
【００２１】
前述したように断熱箱体１２に取付けられた両スライド扉１８,２０を施錠する場合は、図２に示すように、両スライド扉１８,２０を閉成位置に位置決めした状態で、前記錠３８の係止ピン３８ｂを前側から押圧する。これにより、図７に示す如く、該係止ピン３８ｂの後部が第１取付部材３６より後方に突出し、後スライド扉２０の下枠材３０ａに形成した前記係止孔３０ｂおよびローラホルダ３３の通孔３３ａに挿通される。従って、前スライド扉１８の開放方向(左方)へのスライドが規制されると共に、後スライド扉２０の開放方向(右方)へのスライドが規制され、両スライド扉１８,２０は閉成位置で施錠される。なお、ローラホルダ３３は金属製であるので、樹脂製の下枠材３０ａのみで係止ピン３８ｂを規制する場合に比べ、スライド方向に対する強度は高く、下枠材３０ａ(係止孔３０b)が変形するのは好適に防止される。
【００２２】
すなわち、実施例のように前スライド扉１８の側面に施錠装置３４を配設し、その錠３８の係止ピン３８ｂを後方に突出するだけで両スライド扉１８,２０を施錠する構成では、前スライド扉１８の後側に施錠装置３４が大きく突出することはなく、両スライド扉１８,２０の前後の隙間を必要最小限に止めることができる。従って、収納室からの冷気の逃出を抑制して冷却性能が低下するのを防止し得ると共に、隙間から外気が入り込むことで、冷却器への多量の霜付きや扉への露付きが発生するのも抑制することができる。
【００２３】
また実施例の施錠装置３４では、第２取付部材４０を下動位置で位置決めした状態で、その前板６２の下端が下レール１６における前側の立上がり部１６ｂの上端より下方に突出しているので、仮に前スライド扉１８を持上げて取外そうとしても、該第２取付部材４０が前側の立上がり部１６ｂに引掛かるから、前スライド扉１８は外れない。
【００２４】
実施例では、施錠装置を冷蔵ショーケースのスライド扉に配設した場合で説明したが、冷蔵庫や温蔵庫等の貯蔵庫にも採用し得る。
【００２５】
【発明の効果】
以上に述べた如く、本発明に係るスライド扉の施錠装置によれば、前スライド扉の側面に施錠装置を配設したので、前後のスライド扉の隙間を必要最小限に設定することができる。従って、箱体内を冷却したり加温する貯蔵庫において、その冷却性能や加温性能が低下するのを抑制することができる。また、冷蔵ショーケース等のように箱体内を冷却するものにおいては、外気が箱体内に入り込むことに起因する冷却器への多量の霜付きや扉への露付きの発生を抑制することができる。更に、ローラを回転可能に保持するローラホルダの通孔にも係止ピンを挿通して扉のスライド規制を行なうよう構成したことで、後スライド扉の係止孔のみでスライド規制する場合に比べ、扉のスライド方向に対する強度を高くすることができる。
【００２６】
前記前スライド扉に配設した第２取付部材により、施錠状態での前スライド扉の前側への取外しを防止することができる。
【図面の簡単な説明】
【図１】  本発明の実施例に係る施錠装置を示す分解斜視図である。
【図２】  実施例に係る施錠装置が配設される冷蔵ショーケースの斜視図である。
【図３】  実施例に係る施錠装置の第１取付部材を後側から視た斜視図である。
【図４】  実施例に係る施錠装置を前スライド扉に配設した状態を示す要部斜視図である。
【図５】  実施例に係る前後のスライド扉を断熱箱体に取付けた状態を示す要部斜視図である。
【図６】  実施例に係る施錠装置を解錠状態で示す要部断面図である。
【図７】  実施例に係る施錠装置を施錠状態で示す要部断面図である。
【符号の説明】
１２ 断熱箱体(箱体)，１２ａ 開口部，１６ 下レール
１６ｂ 立上がり部(前側の立上がり部)，１８ 前スライド扉
２０ 後スライド扉，３０ｂ 係止孔，３３ ローラホルダ，３３ａ 通孔
３６ 第１取付部材，３８ 錠，３８ｂ 係止ピン，４０ 第２取付部材
【図１】
0003710661.tif 000002
【図２】
0003710661.tif 000003
【図３】
0003710661.tif 000004
【図４】
0003710661.tif 000005
【図５】
0003710661.tif 000006
【図６】
0003710661.tif 000007
【図７】
0003710661.tif 000008